(57)【要約】【課題】安価な構成で、僅かな水分が凍結し弁がロック状態となるのを防止する事ができる弁装置を提供する。【解決手段】弁座７ｃと、前記弁座７ｃに接離して流体流量を制御する弁体８と、前記弁体８を駆動するロータ１１と、前記弁座７ｃを内蔵した本体７と、前記本体７に嵌着し前記弁体８を内包する筒状体９を備え、前記弁体８の周囲に水分を吸着する吸着剤１５を配設したもので、弁装置３ａに入り込んだ水分を吸着剤１５により吸着することにより、氷による弁装置３ａのロック発生を抑制し、弁動作不良を防止することができる。【選択図】図２
2005256981.tif 000002
【特許請求の範囲】
【請求項１】
弁座と、前記弁座に接離して流体流量を制御する弁体と、前記弁体を駆動するロータと、前記弁座を内蔵した本体と、前記本体に嵌着し前記弁体を内包する筒状体を備え、前記弁体の周囲に水分を吸着する吸着剤を配設したことを特徴とする弁装置。
【請求項２】
筒状体と本体との嵌着部近傍に吸着剤を配設したことを特徴とする請求項１記載の弁装置。
【請求項３】
ロータを、吸着剤を含有する樹脂で形成したことを特徴とする請求項１又は２記載の弁装置。
【請求項４】
本体に溝部を設け、前記溝部に吸着剤を配したことを特徴とする請求項１〜３のいずれか１項に記載の弁装置。
【発明の詳細な説明】
【技術分野】
【０００１】
本発明は、弁装置に関するものであって、特に冷媒回路内で用いられる弁装置に関するものである。
【背景技術】
【０００２】
従来、この種の弁装置においては、弁装置内に生産工程時や製品組み込み時に僅かな水が混入された場合、真空引き等により完全に除去されない場合があり、また、電動膨張弁の開度を通常の制御開度変化量よりも大きな開度変化量でもって、冷媒回路内にある水分等のコンタミ物質を除去する除去運転モードを備えて、電動膨張弁の作動不良を抑制するようにしたものもある（例えば、特許文献１参照）。
【特許文献１】特開２００１−３１１５６５号公報
【発明の開示】
【発明が解決しようとする課題】
【０００３】
しかしながら、上記従来の弁装置の構成では、圧縮比、凝縮温度、吐出温度等を検知して、通常運転時より膨張弁開度を大きく変化させ、急激な圧力変動により水分等のコンタミを除去するようにしているが、弁装置内部に入り込んだ僅かな水分例えば２０ｍｇ程度を完全に除去することは困難であり、僅かに残った水分が膨張弁による急激な減圧により氷となってロック状態が発生する。また開度を変化させるためにはセンサー類が必要となりコスト高になると共に、運転状態に支障をきたすという課題を有していた。
【０００４】
本発明はこのような従来の課題を解決するものであり、安価な構成で水分の完全除去を行いロック発生を防止する事ができる弁装置を提供することを目的とする。
【課題を解決するための手段】
【０００５】
上記課題を解決するために、本発明の弁装置は、弁座と、前記弁座に接離して流体流量を制御する弁体と、前記弁体を駆動するロータと、前記弁座を内蔵した本体と、前記本体に嵌着し前記弁体を内包する筒状体を備え、前記弁体の周囲に水分を吸着する吸着剤を配設したもので、弁装置に入り込んだ水分が吸着剤により吸着され、氷による弁装置のロック発生を抑制し、弁動作不良を防止することができる。
【発明の効果】
【０００６】
本発明は、弁装置に入り込んだ水分を吸着剤により吸着することにより、氷による弁装置のロック発生を抑制し、弁動作不良を防止することができる。
【発明を実施するための最良の形態】
【０００７】
第１の発明は、弁座と、前記弁座に接離して流体流量を制御する弁体と、前記弁体を駆動するロータと、前記弁座を内蔵した本体と、前記本体に嵌着し前記弁体を内包する筒状体を備え、前記弁体の周囲に水分を吸着する吸着剤を配設したもので、弁装置に入り込んだ水分が吸着剤により吸着されるので、氷による弁装置のロック発生を抑制し、弁動作不良を防止することができる。
【０００８】
第２の発明は、特に、第１の発明の筒状体と本体との嵌着部近傍に吸着剤を配設したもので、吸着剤により弁装置の狭部の僅かな水分を完全除去でき弁動作不良を防止することができる。
【０００９】
第３の発明は、特に、第１又は第２の発明のロータを、吸着剤を含有する樹脂で形成したもので、水分を吸着して弁動作不良を防止することができると共に、弁装置の小型化及び部品点数の削減ができる。
【００１０】
第４の発明は、特に、第１〜３のいずれか１つの発明の本体に溝部を設け、前記溝部に吸着剤を配したもので、弁装置内のスペース有効化が図れ、かつ弁動作不良を防止することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における弁装置を備えた電動膨張弁を組み込んだ冷凍装置の全体構成図、図２は、同電動膨張弁の断面図である。
【００１３】
図１に示すように冷凍装置は、ガス冷媒を吸い込んで圧縮吐出する圧縮機１と、この圧縮機１により圧縮されたガス冷媒を凝縮液化する凝縮器２と、この凝縮器２により凝縮された液冷媒を膨張させる減圧手段としての電動膨張弁３と、この電動膨張弁３により膨張された液冷媒を蒸発気化させる蒸発器４とが順に配管５で接続されてなる冷媒回路６を備えている。
【００１４】
次に、図２を用いて電動膨張弁３の構成について説明する。
【００１５】
電動膨張弁３は、弁装置３ａと前記弁装置３ａの外周に周設され導電線コイルからなるステータコイル１０で構成されている。
【００１６】
弁装置３ａは、側部に冷媒の入口側配管７ａが接続されている一方、下部に冷媒の出口配管７ｂが接続されてなる本体７を備え、その本体７の内部に、出口側に向けて内径が徐々に小さくなるテーパ状の弁座７ｃと、この弁座７ｃに着座可能なニードル状の弁体８とを有していて、これら弁座７ｃ及び弁体８間の隙間から冷媒をジェット流の状態で出口配管７ｂ内に向けて流出させるものである。
【００１７】
さらに、上記本体７の上面部に非磁性体の筒状体９が嵌着され、この筒状体９の外周側に導電線コイルからなるステータコイル１０が周設されている。そして前記筒状体９には永久磁石を有しているロータ１１が軸心回りに回転可能に配設されており、このロータ１１に弁体８が一体に連結されている。
【００１８】
前記ステータコイル１０への通電によりロータ１１を回転させ、この回転をロータ１１と一体である弁軸１２のおねじと、弁体８に推進軸受け支え１３を介して設けた推進軸受け１４のめねじにより、弁体８が進退移動すると共にその回転角度に応じて弁座７ｃ間の開度を変化させるようになっている。また前記弁体８と前記弁軸１２と前記推進軸受け支え１３との空間部には水分を吸着する吸着剤１５が装着されている。
【００１９】
上記構成により、弁装置３ａの生産工程や冷媒回路６中に入り込んだ僅かな水分は、吸着剤１５によって吸着されるので、弁軸１２のおねじと、弁体８に推進軸受け支え１３を介して設けた推進軸受け１４のめねじの水分の凍結によるロック作動不良を確実に防止することができる。
【００２０】
（実施の形態２）
図３は、本発明の第２の実施の形態における弁装置を備えた電動膨張弁の断面図である。なお、上記第１の実施の形態と同一部分については同一符号を付してその説明を省略する。
【００２１】
上記第１の実施の形態では、吸着剤１５を、弁体８と前記弁軸１２と前記推進軸受け支え１３との空間部に装着したが、本実施の形態は、ロータ１１を、吸着剤を含有する樹脂材料で形成したもので、第１の実施の形態同様、水分を吸着して弁動作不良を防止することができるのは勿論、吸着剤を別部品とする必要がないので、弁装置の小型化及び部品点数の削減ができる。
【００２２】
（実施の形態３）
図４は、本発明の第３の実施の形態における弁装置を備えた電動膨張弁の断面図である。なお、上記実施の形態と同一部分については同一符号を付してその説明を省略する。
【００２３】
本実施の形態は、図４に示すように本体７のロータ１１側端部に円環状の溝部１６を設け、その溝部１６に吸着剤１５を配したもので、吸着剤１５を配する為に別途スペースを設ける必要がなく、弁装置３ａのスペース有効化が図れるものである。
【産業上の利用可能性】
【００２４】
以上のように、本発明にかかる弁装置は、安価な構成で水分を吸着し、水分の凍結によるロック作動不良を確実に防止することができるので、冷媒回路内の圧力容器等の用途にも適用できる。
【図面の簡単な説明】
【００２５】
【図１】本発明の実施の形態１における弁装置を備えた電動膨張弁を組み込んだ冷凍装置の全体構成図
【図２】同電動膨張弁の断面図
【図３】本発明の実施の形態２における弁装置を組み込んだ電動膨張弁の断面図
【図４】本発明の実施の形態３における弁装置を組み込んだ電動膨張弁の断面図
【符号の説明】
【００２６】
１  圧縮機
２  凝縮器
３  電動膨張弁
３ａ  弁装置
４  蒸発器
６  冷媒回路
７  本体
７ｃ  弁座
８  弁体
９  筒状体
１１  ロータ
１２  弁軸
１３  推進軸受け支え
１４  推進軸受け
１５  吸着剤
【図１】
2005256981.tif 000003
【図２】
2005256981.tif 000004
【図３】
2005256981.tif 000005
【図４】
2005256981.tif 000006